(57)【要約】      （修正有）【課題】回転刃による対象物の切断、研削又は研磨等の作業を中断することなく、回転刃に確実かつ継続的に水を直接供給しつづけ、回転刃によって発生する塵の飛散を低減させるための回転刃用の給水ノズルを位置決めして固定する、回転刃用給水ノズル固定具を提供する。【解決手段】回転刃５０ｂに給水ノズル３から水を直接噴射供給することで低減させる回転刃用給水ノズルの固定具であって、カバー５０ｃに係止されるとともに、回転刃５０ｂの側面と給水ノズル３の先端との距離を３ｍｍ以下に位置決めする。【選択図】図３
0003192092.tif 000002
【実用新案登録請求の範囲】
【請求項１】
グラインダのカバーで覆われた回転刃が、被処理対象物に接触することで飛散する塵を、前記回転刃に給水ノズルから水を直接噴射供給することで低減させる回転刃用給水ノズルの固定具であって、
前記カバーに係止されるとともに、前記回転刃の側面と前記給水ノズルの先端との距離を３ｍｍ以下に位置決めすることを特徴とする回転刃用給水ノズル固定具。
【請求項２】
前記カバーの左右側面に左右側面が位置し左側面にネジ穴を有するコの字型の挟持部と、
前記ネジ穴に螺合して端部が前記カバーに当接するとともに前記挟持部の右側面とで前記カバーを挟持して前記挟持部を前記カバーに固定する蝶ボルトと、
前記挟持部の右側面に取り付けられ前記給水ノズルを位置決めして固定する保持部と、
からなることを特徴とする請求項１に記載の回転刃用給水ノズル固定具。
【請求項３】
前記カバーの左右側面に左右側面が位置し左側面にネジ穴を有するコの字型の挟持部と、
前記ネジ穴に螺合して端部が前記カバーに当接するとともに前記挟持部の右側面とで前記カバーを挟持して前記挟持部を前記カバーに固定する蝶ボルトと、
前記挟持部の右側面に取り付けられ前記給水ノズルを位置決めして固定する保持部と、
一端が前記カバーの右側面側の前記挟持部に回動可能に固定され他端が前記カバーの外側に係止され端部に長孔を有するＬ字具と、
前記Ｌ字具の長孔に挿入されるとともに前記Ｌ字具の底面に頭部が位置し前記カバーの内側に係止されるネジと、
前記ネジに螺合する蝶ボルトと、
からなることを特徴とする請求項１に記載の回転刃用給水ノズル固定具。
【請求項４】
グラインダのカバーで覆われた回転刃が、被処理対象物に接触することで飛散する塵を、前記回転刃に水を３ｍｍ以上の径の給水ノズルから６０ｃｃ以上／分で供給することで低減させるグラインダであって、
前記回転刃の側面と前記給水ノズルの先端との距離を３ｍｍ以下に位置決めしたことを特徴とする給水ノズルを装着したグラインダ。
【請求項５】
前記給水ノズルを、請求項１〜請求項３のいずれか１項に記載の回転刃用給水ノズル固定具によって位置決めして固定したことを特徴とする請求項４に記載の給水ノズルを装着したグラインダ。
【考案の詳細な説明】
【技術分野】
【０００１】
本考案は、コンクリート、石、金属、木材、塩化ビニルなどのプラスチック等の対象物を切断、研削又は研磨等する回転刃を回転させ、対象物に当接したときの粉塵を水で低減させるための回転刃用給水ノズルを位置決めして固定する、回転刃用給水ノズル固定具に関する。
【背景技術】
【０００２】
回転刃による、切断、研削又は研磨等において、粉塵を低減させる技術として、特許文献１の発明が公開されている。特許文献１の発明は、コンクリート等の切断に用いるグラインダに装着して、粉塵の飛散を防止し、かつ集塵も効果的に行うことができる装置であって、グラインダ１の回転刃３に沿って設けられた防護部材４に着脱自在に取り付けられる多孔質吸水性カバー１０と、前記防護部材４の後端附近に着脱自在に取り付けられる多孔質吸水性フード２０からなる防塵装置である。
【０００３】
特許文献１の段落００１２には、「前記カバー１０は、図３及び図４に示すように、前記面ファスナ５に対応して係合する面ファスナ１１を有するわん曲した係止部１２と、この上端から回転刃３を被うように突き出したほぼ三日月型のひさし部１３から成る。このひさし部１３は、スポンジ、綿（わた）等の多孔質で吸水性のある材料によって形成するのが好ましい。また、係止部１２の先端にフラップ１４を設け、このフラップ１４の中間にスリット１５を設けて、回転刃３がこのスリット１５を通って回転するようにしておけば、防塵効果がより向上する。このフラップ１４もスポンジ等の多孔質吸水性材料で形成するのがよい。」とある。
【０００４】
また、特許文献１の段落００１７には、「上記のような防塵装置を用いる場合には、ひさし部１３や集塵袋２２に水を含浸させておけば防塵・集塵効果が向上する。」とある。
【０００５】
すなわち、引用文献１のグラインダの防塵装置は、多孔質吸水性カバーで、回転刃を覆い、かつ多孔質吸水性フードで粉塵を回収するというものであり、必用に応じて水を含浸させるものである。
【０００６】
しかしながら、引用文献１のグラインダの防塵装置では、多孔質吸水性カバーに水を含浸させたとしても、作業の進行とともに、回転刃の回転により含浸された水は吹き飛ばされ、継続して十分な粉塵防止効果を発揮することができない。防塵効果を維持するためには、時折切断、研削又は研磨等作業を中断し、多孔質吸水性カバーへの含水作業を行わなければならず、煩雑でかつ作業性が非効率であった。
【０００７】
他方、単に、水を回転刃に噴射、供給するだけでは、回転刃の回転により噴射、供給された水ははじき飛ばされ、回転刃を十分に濡らすことができず、粉塵と水の共存物をなすことができず、粉塵の飛散を低減させる効果が高くなかった。そこで、本考案者は、回転刃に当接するスポンジに連続的に水を供給する特願２０１４−０３６４７１号に係る技術を発明し、特許出願した。
【０００８】
その後、考案者は、鋭意研究した結果、給水ノズルの位置、給水の流量、給水ノズル径などを限定することで、スポンジを備えることなく、直接回転刃に給水しても、回転刃によってはじき飛ばされることなく、給水した水が、粉塵を取り込み、粉塵の飛散を低減することを見いだした。
【先行技術文献】
【特許文献】
【０００９】
【特許文献１】実開平５−８５５４５号公報
【考案の概要】
【考案が解決しようとする課題】
【００１０】
そこで、本考案は、回転刃による対象物の切断、研削又は研磨等の作業を中断することなく、回転刃に確実かつ継続的に水を直接供給しつづけ、回転刃によって発生する塵の飛散を低減させるための回転刃用の給水ノズルを位置決めして固定する、回転刃用給水ノズル固定具を提供することを目的とする。
【課題を解決するための手段】
【００１１】
本考案は、上記課題を解決するため、
（１）
グラインダのカバーで覆われた回転刃が、被処理対象物に接触することで飛散する塵を、前記回転刃に給水ノズルから水を直接噴射供給することで低減させる回転刃用給水ノズルの固定具であって、
前記カバーに係止されるとともに、前記回転刃の側面と前記給水ノズルの先端との距離を３ｍｍ以下に位置決めすることを特徴とする回転刃用給水ノズル固定具。
（２）
前記カバーの左右側面に左右側面が位置し左側面にネジ穴を有するコの字型の挟持部と、
前記ネジ穴に螺合して端部が前記カバーに当接するとともに前記挟持部の右側面とで前記カバーを挟持して前記挟持部を前記カバーに固定する蝶ボルトと、
前記挟持部の右側面に取り付けられ前記給水ノズルを位置決めして固定する保持部と、
からなることを特徴とする（１）に記載の回転刃用給水ノズル固定具。
（３）
前記カバーの左右側面に左右側面が位置し左側面にネジ穴を有するコの字型の挟持部と、
前記ネジ穴に螺合して端部が前記カバーに当接するとともに前記挟持部の右側面とで前記カバーを挟持して前記挟持部を前記カバーに固定する蝶ボルトと、
前記挟持部の右側面に取り付けられ前記給水ノズルを位置決めして固定する保持部と、
一端が前記カバーの右側面側の前記挟持部に回動可能に固定され他端が前記カバーの外側に係止され端部に長孔を有するＬ字具と、
前記Ｌ字具の長孔に挿入されるとともに前記Ｌ字具の底面に頭部が位置し前記カバーの内側に係止されるネジと、
前記ネジに螺合する蝶ボルトと、
からなることを特徴とする（１）に記載の回転刃用給水ノズル固定具。
（４）
グラインダのカバーで覆われた回転刃が、被処理対象物に接触することで飛散する塵を、前記回転刃に水を３ｍｍ以上の径の給水ノズルから６０ｃｃ以上／分で供給することで低減させるグラインダであって、
前記回転刃の側面と前記給水ノズルの先端との距離を３ｍｍ以下に位置決めしたことを特徴とする給水ノズルを装着したグラインダ。
（５）
前記給水ノズルを、（１）〜（３）のいずれかに記載の回転刃用給水ノズル固定具によって位置決めして固定したことを特徴とする請求項４に記載の給水ノズルを装着したグラインダ。
とした。
【考案の効果】
【００１２】
本考案は、上記構成であるので、対象物の切断、研削又は研磨等の作業を中断することなく、回転刃に確実かつ継続的に水を直接供給しつづけ、回転刃によって発生する塵の飛散を防止することができる。また、対象物の切断、研削、研磨において、回転刃に本考案を用いることで、水で粉塵を減らすことができるため、粉塵吸引による作業者及び作業環境周辺の人の健康被害を減らすことができる。
【図面の簡単な説明】
【００１３】
【図１】本考案の第一の実施形態である回転刃用給水ノズル固定具で給水ノズルを装着したグラインダの斜視模式図である。
【図２】本考案の第一の実施形態である回転刃用給水ノズル固定具で給水ノズルを装着したグラインダの正面模式図である。
【図３】本考案の第二の実施形態である回転刃用給水ノズル固定具で給水ノズルを装着したグラインダの斜視模式図である。
【図４】本考案の第二の実施形態である回転刃用給水ノズル固定具で給水ノズルを装着したグラインダの正面模式図である。
【考案を実施するための形態】
【００１４】
以下、図面に基づき本考案について詳細に説明する。なお、本考案は下記実施例に限定されるものではない。
【実施例１】
【００１５】
図１、２に示すように、本考案である回転刃５０ｂに水を直接供給する給水ノズルを装着したグラインダ１は、グラインダ５０のカバー５０ｃで覆われた回転刃５０ｂが、被処理対象物に接触することで飛散する塵を、回転刃５０ｂに給水ノズル３から水を直接噴射供給することで低減させるものであって、グラインダ５０と、給水ノズル３と、回転刃用給水ノズル固定具２と、送液部４とからなる。
【００１６】
グラインダ５０は、回転刃５０ｂを回転させるモータを内蔵するとともに手によって把持される本体５０ａと、本体５０ａのモータに電気的に接続するコード５０ｄと、コード５０ｄの端部に備えられる電源に接続するプラグ５０ｅと、回転刃５０ｂの上面の手元側を略半分覆い、底面側では回転刃５０ｂを全面露出させ本体５０ａに着脱可能に固定されるカバー５０ｃとからなり、一般に市場に流通している既存のグラインダ（サンダーなどと呼ばれることもある）を用いることができる。グラインダ５０の電源は、商用電源の他、充電式バッテリ、発電機を用いることができる。さらに、エンジン式のグラインダであれば、モータ、コード５０ｄを備えず、電源も不要である。エンジン式のグラインダにも、本考案は適用できる。
【００１７】
給水ノズル３は、例えば、図２に示すように、回転刃５０ｂとの距離を３ｍｍ以下に位置決めされ、水を吐出する筒状の本体３ａと、本体３ａから分岐した筒状の分岐管３ｂと、本体３ａ内部の形状に沿った形（長手方向に直交する位置の断面Ｃ型）の片を設け本体３ａに回転可能に取り付けられたバルブ３ｃとからなる。なお、バルブ３ｃは、本体３ａに設けることなく、ホース５等に設けることもできる。
【００１８】
水を本体３ａの先端から吐出する。吐出された水は、回転刃５０ｂに直接当たり、濡らす。直接水を回転刃５０ｂに噴射する場合には、給水ノズル３の本体３ａの内径は３ｍｍ以上とし、噴射する流速は６０ｃｃ以上／分とすることが望ましい。流速の上限としては、１５０ｃｃで十分であり、それ以上多量であると、作業環境に多量の水が流れ、後始末が大変になる。
【００１９】
回転刃用給水ノズル固定具２は、カバー５０ｃの上方に係止されるとともに、回転刃５０ｂの側面と給水ノズル３の先端との距離を３ｍｍ以下に位置決めするものであって、例えば、図１、２に示すように、挟持部２ａと、蝶ボルト２ｄと、保持部２ｅとからなる。
【００２０】
挟持部２ａは、コの字型で、左右側面がカバー５０ｃの左右側面に位置し、左側面にネジ穴を有する。なお、挟持部２ａの内側のカバー５０ｃ側には、磁石２ｂが留具２ｃで固定されている。また、カバー５ｃの左側面は、回転刃５０ｂが半分露出するとともに本体５０ａに連結され、カバー５０ｃの右側面は回転刃５０ｂの底面全体が露出している。
【００２１】
磁石２ｂは、磁力により、鉄製等のグラインダ５０のカバー５０ｃに吸着し、挟持部２ａを蝶ボルト２ｄで固定するまでの間の仮留めとなり、挟持部２ａを取り付け位置に保持し、固定作業を補助する。磁石２ｂを有することで、蝶ボルト２ｄの締め付け作業を１人でも簡単にできることとなる。
【００２２】
蝶ボルト２ｄは、挟持部２ａの左側面のネジ穴に螺合して、蝶ボルト２ｄの端部と挟持部２ａの右側面とでカバー５０ｃを挟持して挟持部２ａをカバー５０ｃに固定する。
【００２３】
保持部２ｅは、挟持部２ａの右面側に、ネジ２ｆで回動可能に取り付けられ、回転刃５０ｂの側面と給水ノズル３の本体３ａの先端との距離、回転刃５０ｂの径方向における給水ノズル３の位置決めをして固定する。なお、保持部２ｅが回動しなくてもよい場合には、挟持部２ａと保持部２ｅを一体成型することもできる。
【００２４】
保持部２ｅは、薄い板を湾曲させて環状にし、環内部に分岐管３ｂが挿入され、留具で分岐管３ｂが固定される。また、環状でない部分で、保持部２ｅは、挟持部２ａにネジ２ｆで固定される。
【００２５】
この結果、給水ノズル３が保持部２ｅを介して挟持部２ａに係止され、さらに挟持部２ａがカバー５０ｃに連結することとなり、回転刃用給水ノズル固定具２は、カバー５０ｃに給水ノズル３が位置決められて装着されることとなる。
【００２６】
ここでは、回転刃用給水ノズル固定具２において、挟持部２ａと保持部２ｅを別体としたが、給水ノズル３の位置決めができ、回転刃用給水ノズル固定具２をカバー５０ｃに固定できれば、他の形態としてもよく、さらに一体としてもよい。
【００２７】
送液部４は、ホース５と、ポンプ６とからなる。ホース５は、一端が分岐管３ｂに接続し、他端にはポンプ６を備える。図１に示すように、ホース５は、グラインダ５０のコード５０ｄと、プラスチックバンド、ゴム、紐、プラスチック製或いは金属製のクリップなどの結束帯５ａでひとまとまりに束ねるとよい。ホース５、コード５０ｄが邪魔にならず、作業性がよくなる。
【００２８】
ポンプ６は、水をホース５（給水ノズル３）に連続供給する。ここでは、ポンプ６の電源について図示を省略した。ポンプ６は、グラインダ５０と同様、商用電源、バッテリ、発電機、ソーラーパネルに接続され、駆動する。
【００２９】
ポンプ６にオンオフスイッチがなくともよい。また、グラインダ５０（回転刃５０ｂ）のオンオフ、グラインダ５０の載置に連動して、ポンプ６のオンオフを制御してもよい。それらに連動して、ポンプ６がオンオフすれば節水になる。ホース５をポンプ６に接続する代わりに、水道水の蛇口に接続し、水を給水ノズル３に連続供給してもよい。蛇口の栓の開閉度によって送水量を調節することもできる。給水ノズル３への送水方式として、その他、タンクからホースに手動による加圧送液なども利用できる。
【実施例２】
【００３０】
図３、４に示すように、回転刃５０ｂに水を直接供給する給水ノズルを装着したグラインダ１１は、グラインダ５０のカバー５０ｃで覆われた回転刃５０ｂが、被処理対象物に接触することで飛散する塵を、回転刃５０ｂに給水ノズル３から水を直接噴射供給することで低減させるものであって、グラインダ５０と、給水ノズル３と、回転刃用給水ノズル固定具１２と、送液部４とからなる。
【００３１】
回転刃用給水ノズル固定具１２は、カバー５０ｃの下方に係止されるとともに、回転刃５０ｂの側面と給水ノズル３の先端との距離を３ｍｍ以下に位置決めするものであって、例えば、図３、４に示すように、挟持部１２ｉと、蝶ボルト２ｄと、保持部１２ａと、Ｌ字具１２ｃ、蝶ナット１２ｅと、必要に応じて、プロテクター１３とからなる。
【００３２】
挟持部１２ｉは、コの字型で、左右側面がカバー５０ｃの左右側面に位置し、左側面にネジ穴を有する。なお、挟持部１２ｉの内側のカバー５０ｃ側には、実施例同様に、磁石２ｂが留具２ｃで固定されている。
【００３３】
蝶ボルト２ｄは、挟持部２ａの左側面のネジ穴に螺合して、蝶ボルト２ｄの端部と挟持部２ａの右側面とでカバー５０ｃを挟持して挟持部２ａをカバー５０ｃに固定する。
【００３４】
保持部１２ａは、挟持部１２ｉの右側面の先端部に留具１２ｂで回動可能に取り付けられた板状で、回転刃５０ｂの側面と給水ノズル３の本体３ａの先端との距離、回転刃５０ｂの径方向における給水ノズル３の位置決めして固定する。なお、保持部１２ａが回動しなくてもよい場合には、挟持部１２ｉと保持部１２ａを一体成型することもできる。
【００３５】
Ｌ字具１２ｃは、一端がカバー５０ｃの右側面側の挟持部１２ｉに留具１２ｄで回動可能に固定され、他端がカバー５０ｃの外側に係止される。
【００３６】
さらに、先端部の回転刃５０ｂの右側面側に位置する面には、長孔１２ｋが穿設され、頭部１２ｐを回転刃５０ｂ側にネジ１２ｎを長孔１２ｋに挿入し、Ｌ字具１２ｃを挟み、反頭部１２ｐ側に蝶ナット１２ｅを嵌め、頭部１２ｐをカバー５０ｃに係止して、Ｌ字具１２ｃをカバー５０ｃに固定する。長孔１２ｋとすることで、カバー５０ｃ径（サイズ）が異なっても、Ｌ字具１２ｃをカバー５０ｃに固定することができ、他機種への利用できることとなり、汎用性が高いものとなる。
【００３７】
そのようにしてなる回転刃用給水ノズル固定具１２においては、給水ノズル３が、挟持部１２ｉで１カ所、Ｌ字具１２ｃで２箇所、カバー５０ｃに計３箇所で固定されることとなる。その結果、確実に、回転刃５０ｂと給水ノズル３の先端との距離を３ｍｍ以下に位置決めすることができる。グラインダ５０の作業時においても、位置決めが継続する。
【００３８】
さらに、Ｌ字具１２ｃが回転可能に、挟持部１２ｉに固定されるため、メーカー、型番ごとに、カバー５０ｃのサイズが異なっても、確実に給水ノズル３の位置決め、その位置を維持することができる。実施例２は、極めて汎用性が高い、回転刃用給水ノズル固定具１２となる。
【００３９】
プロテクター１３は、プレート１２ｆと、シート１２ｇと、留具１２ｈとからなる。
【００４０】
プレート１２ｆは、挟持部１２ｉに連接され、シート１２ｇを留具１２ｈ固定する。
【００４１】
シート１２ｇは、カバー５０ｃの底部のプレート１２ｆに固定され、シート１２ｇの他端は、下方に垂れ下がり、回転刃５０ｂの回転により飛散する水しぶきを当て、作業者、作業場所周辺の汚れを低減させる。
【００４２】
なお、磁石２ｂがネオジウム磁石であれば、蝶ボルト２ｄを用いることなく、グラインダ５０作業においても、プロテクター１３を安定的にカバー５０ｃに装着することもできる。
【符号の説明】
【００４３】
１      給水ノズルを装着したグラインダ
２      回転刃用給水ノズル固定具
２ａ    挟持部
２ｂ    磁石
２ｃ    留具
２ｄ    蝶ボルト
２ｅ    保持部
２ｆ    ネジ
３      給水ノズル
３ａ    本体
３ｂ    分岐管
３ｃ    バルブ
４      送液部
５      ホース
５ａ    結束帯
６      ポンプ
１１    給水ノズルを装着したグラインダ
１２    回転刃用給水ノズル固定具
１２ａ  保持部
１２ｂ  留具
１２ｃ  Ｌ字具
１２ｄ  留具
１２ｅ  蝶ナット
１２ｆ  プレート
１２ｇ  シート
１２ｈ  留具
１２ｉ  挟持部
１２ｋ  長孔
１２ｎ  ネジ
１２ｐ  頭部
１３    プロテクター
５０    グラインダ
５０ａ  本体
５０ｂ  回転刃
５０ｃ  カバー
５０ｄ  コード
５０ｅ  プラグ
【図１】
0003192092.tif 000003
【図２】
0003192092.tif 000004
【図３】
0003192092.tif 000005
【図４】
0003192092.tif 000006